(57)【特許請求の範囲】
【請求項１】
被写体の画像データを画素ごとのカラーの色成分値で取得する撮像手段を備えたデジタルカメラであって、
色レンズフィルタ効果を施した画像データを得るための複数の補正データを記憶する補正データ記憶手段と、
前記複数の補正データから一の補正データの選択を受け付ける補正データ選択手段と、
前記補正データ選択手段により選択された補正データを使用して前記撮像手段により取得された画像データの色成分値を補正し、補正した色成分値に基づいて階調のあるモノクロ画像データを生成する画像生成手段と、
を備えることを特徴とするデジタルカメラ。
【請求項２】
請求項１に記載のデジタルカメラにおいて、
前記撮像手段により取得された画像データのホワイトバランスを補正するホワイトバランス補正手段、
をさらに備え、
前記画像生成手段は、前記ホワイトバランス補正手段によりホワイトバランスが補正された画像データの色成分値を補正し、補正した色成分値に基づいて階調のあるモノクロ画像データを生成することを特徴とするデジタルカメラ。
【請求項３】
請求項１に記載のデジタルカメラにおいて、
前記画像生成手段に入力される以前の画像データに基づいて、フォーカスの程度を示す評価値を求める評価値演算手段、
をさらに備えることを特徴とするデジタルカメラ。
【請求項４】
請求項１に記載のデジタルカメラにおいて、
前記撮像手段により取得された画像データのホワイトバランスを補正するホワイトバランス補正手段と、
前記画像生成手段を能動化させるか否かの設定を受け付ける画像生成設定受付手段と、
前記画像生成手段を能動化させると設定された場合に、前記ホワイトバランス補正手段を非能動化させるホワイトバランス制御手段と、
をさらに備えることを特徴とするデジタルカメラ。
【請求項５】
請求項１に記載のデジタルカメラにおいて、
前記階調のあるモノクロ画像データの明るさに基づいて、前記撮像手段における露出条件を決定する露出制御手段、
をさらに備えることを特徴とするデジタルカメラ。
【請求項６】
請求項１に記載のデジタルカメラにおいて、
前記階調のあるモノクロ画像データの輝度のヒストグラムの表示を行う表示手段、
をさらに備えることを特徴とするデジタルカメラ。
【請求項７】
請求項１に記載のデジタルカメラにおいて、
前記補正データ記憶手段は、前記複数の補正データのそれぞれが対応する色レンズフィルタの名称と関連付けて前記複数の補正データを記憶するものであって、
前記補正データ選択手段は、前記色レンズフィルタの名称の選択を受け付けることにより、前記複数の補正データから一の補正データの選択を受け付け可能であることを特徴とするデジタルカメラ。
【請求項８】
請求項１に記載のデジタルカメラにおいて、
前記階調のあるモノクロ画像データと、該階調のあるモノクロ画像データを生成する際に使用した補正データの種類とを関連付けて記録する画像記録手段、
をさらに備えることを特徴とするデジタルカメラ。
【請求項９】
請求項１に記載のデジタルカメラにおいて、
前記階調のあるモノクロ画像データと、該階調のあるモノクロ画像データを生成する際に使用した補正データの種類とを関連付けて表示する画像表示手段、
をさらに備えることを特徴とするデジタルカメラ。
【請求項１０】
請求項１に記載のデジタルカメラにおいて、
同一被写体の複数の画像データを時間的に連続して取得するように前記撮像手段を制御する撮像制御手段、
をさらに備え、
前記画像生成手段は、段階的に相違する複数の補正データを順次使用して前記撮像手段によって取得される前記複数の画像データの色成分値をそれぞれ補正し、補正した色成分値それぞれに基づいて階調のあるモノクロ画像データを生成することを特徴とするデジタルカメラ。
【請求項１１】
請求項１に記載のデジタルカメラにおいて、
前記画像生成手段を能動化させるか否かの設定を受け付ける画像生成設定受付手段と、
前記画像生成手段を能動化させると設定された場合は、撮影待機状態において前記階調のあるモノクロ画像データを表示する画像表示手段と、
をさらに備えることを特徴とするデジタルカメラ。
【請求項１２】
請求項１に記載のデジタルカメラにおいて、
前記階調のあるモノクロ画像データに基づいて、フォーカスの程度を示す評価値を求める評価値演算手段、
をさらに備えることを特徴とするデジタルカメラ。
【請求項１３】
請求項１に記載のデジタルカメラにおいて、
前記撮像手段により取得された画像データの色成分値を調整する色調整手段と、
前記画像生成手段を能動化させるか否かの設定を受け付ける画像生成設定受付手段と、
前記色調整手段を能動化させるか否かの設定を受け付ける色調整設定受付手段と、
前記画像生成手段を能動化させる設定がなされた状態において、前記色調整手段を能動化させると設定されたときは、前記画像生成手段を非能動化させる設定制御手段と、
をさらに備えることを特徴とするデジタルカメラ。
【請求項１４】
請求項１に記載のデジタルカメラにおいて、
被写体のシーンに応じた複数のシーン撮像制御から一のシーン撮像制御の選択を受け付け可能なシーン選択手段と、
前記画像生成手段を能動化させるか否かの設定を受け付ける画像生成設定受付手段と、
前記画像生成手段を能動化させる設定がなされた状態において、前記シーン撮像制御が選択されたときは、前記画像生成手段を非能動化させる設定制御手段と、
をさらに備えることを特徴とするデジタルカメラ。
【発明の詳細な説明】
【０００１】
【発明の属する技術分野】
本発明は、被写体の画像データを画素ごとのカラーの色成分値で取得する撮像手段を備えたデジタルカメラに関する。
【０００２】
【従来の技術】
被写体の画像データを画素ごとのカラーの色成分値で取得する撮像手段を備えたデジタルカメラにおいては、取得した被写体の画像データ（以下、単に「画像」とも称する。）に対して各種の画像処理を施すことにより、ユーザの趣向に応じた画像データを生成する機能が備えられている。
【０００３】
このようなデジタルカメラの画像処理機能の一つとして、グレースケール画像データ（階調のあるモノクロ画像データ：以下、単に「グレースケール画像」とも称する。）を生成する機能が知られている。
【０００４】
一般にグレースケール画像は、画像データの画素ごとの色成分値を輝度成分値と色差成分値とに分離し、輝度成分値のみの画像データとすることで生成される。このような機能を利用することで、銀塩カメラにおいて白黒フィルムを使用して撮影した際に得られるような画像を簡易に取得することができる。
【０００５】
【発明が解決しようとする課題】
ところで、グレースケール画像は色情報が無いため、青空を含む風景を撮影した際に空が白くなってしまうなど、好ましい画像が得られないことがある。このため、好ましい画像を得るために、特定の分光透過特性を有する色レンズフィルタをレンズに装着して、入射光の波長を調整することが行われている。
【０００６】
しかしながら、このような色レンズフィルタの着脱は煩雑であり、また、被写体に応じて各種の色レンズフィルタを取り揃える必要がある。このことから、グレースケール画像を取得する際において、色レンズフィルタを装着して撮影した際に得られる効果と同様の効果を画像処理によってシミュレートする機能が要望されている。
【０００７】
本発明は、上記課題に鑑みてなされたものであり、色レンズフィルタを装着して撮影した際に得られる効果と同様の効果を奏する色補正が施されたグレースケール画像データを得ることのできるデジタルカメラを提供することを目的とする。
【０００８】
【課題を解決するための手段】
上記課題を解決するため、請求項１の発明は、被写体の画像データを画素ごとのカラーの色成分値で取得する撮像手段を備えたデジタルカメラであって、色レンズフィルタ効果を施した画像データを得るための複数の補正データを記憶する補正データ記憶手段と、前記複数の補正データから一の補正データの選択を受け付ける補正データ選択手段と、前記補正データ選択手段により選択された補正データを使用して前記撮像手段により取得された画像データの色成分値を補正し、補正した色成分値に基づいて階調のあるモノクロ画像データを生成する画像生成手段と、を備えている。
【０００９】
また、請求項２の発明は、請求項１に記載のデジタルカメラにおいて、前記撮像手段により取得された画像データのホワイトバランスを補正するホワイトバランス補正手段、をさらに備え、前記画像生成手段は、前記ホワイトバランス補正手段によりホワイトバランスが補正された画像データの色成分値を補正し、補正した色成分値に基づいて階調のあるモノクロ画像データを生成することを特徴とする。
【００１０】
また、請求項３の発明は、請求項１に記載のデジタルカメラにおいて、前記画像生成手段に入力される以前の画像データに基づいて、フォーカスの程度を示す評価値を求める評価値演算手段、をさらに備えている。
また、請求項４の発明は、請求項１に記載のデジタルカメラにおいて、前記撮像手段により取得された画像データのホワイトバランスを補正するホワイトバランス補正手段と、前記画像生成手段を能動化させるか否かの設定を受け付ける画像生成設定受付手段と、前記画像生成手段を能動化させると設定された場合に、前記ホワイトバランス補正手段を非能動化させるホワイトバランス制御手段とをさらに備えることを特徴とする。
また、請求項５の発明は、請求項１に記載のデジタルカメラにおいて、前記階調のあるモノクロ画像データの明るさに基づいて、前記撮像手段における露出条件を決定する露出制御手段、をさらに備えることを特徴とする。
また、請求項６の発明は、請求項１に記載のデジタルカメラにおいて、前記階調のあるモノクロ画像データの輝度のヒストグラムの表示を行う表示手段、をさらに備えることを特徴とする。
また、請求項７の発明は、請求項１に記載のデジタルカメラにおいて、前記補正データ記憶手段は、前記複数の補正データのそれぞれが対応する色レンズフィルタの名称と関連付けて前記複数の補正データを記憶するものであって、前記補正データ選択手段は、前記色レンズフィルタの名称の選択を受け付けることにより、前記複数の補正データから一の補正データの選択を受け付け可能であることを特徴とする。
また、請求項８の発明は、請求項１に記載のデジタルカメラにおいて、前記階調のあるモノクロ画像データと、該階調のあるモノクロ画像データを生成する際に使用した補正データの種類とを関連付けて記録する画像記録手段、をさらに備えることを特徴とする。
また、請求項９の発明は、請求項１に記載のデジタルカメラにおいて、前記階調のあるモノクロ画像データと、該階調のあるモノクロ画像データを生成する際に使用した補正データの種類とを関連付けて表示する画像表示手段、をさらに備えることを特徴とする。
また、請求項１０の発明は、請求項１に記載のデジタルカメラにおいて、同一被写体の複数の画像データを時間的に連続して取得するように前記撮像手段を制御する撮像制御手段、をさらに備え、前記画像生成手段は、段階的に相違する複数の補正データを順次使用して前記撮像手段によって取得される前記複数の画像データの色成分値をそれぞれ補正し、補正した色成分値それぞれに基づいて階調のあるモノクロ画像データを生成することを特徴とする。
また、請求項１１の発明は、請求項１に記載のデジタルカメラにおいて、前記画像生成手段を能動化させるか否かの設定を受け付ける画像生成設定受付手段と、前記画像生成手段を能動化させると設定された場合は、撮影待機状態において前記階調のあるモノクロ画像データを表示する画像表示手段とをさらに備えることを特徴とする。
また、請求項１２の発明は、請求項１に記載のデジタルカメラにおいて、前記階調のあるモノクロ画像データに基づいて、フォーカスの程度を示す評価値を求める評価値演算手段、をさらに備えることを特徴とする。
また、請求項１３の発明は、請求項１に記載のデジタルカメラにおいて、前記撮像手段により取得された画像データの色成分値を調整する色調整手段と、前記画像生成手段を能動化させるか否かの設定を受け付ける画像生成設定受付手段と、前記色調整手段を能動化させるか否かの設定を受け付ける色調整設定受付手段と、前記画像生成手段を能動化させる設定がなされた状態において、前記色調整手段を能動化させると設定されたときは、前記画像生成手段を非能動化させる設定制御手段とをさらに備えることを特徴とする。
また、請求項１４の発明は、請求項１に記載のデジタルカメラにおいて、被写体のシーンに応じた複数のシーン撮像制御から一のシーン撮像制御の選択を受け付け可能なシーン選択手段と、前記画像生成手段を能動化させるか否かの設定を受け付ける画像生成設定受付手段と、前記画像生成手段を能動化させる設定がなされた状態において、前記シーン撮像制御が選択されたときは、前記画像生成手段を非能動化させる設定制御手段とをさらに備えることを特徴とする。
【００１１】
【発明の実施の形態】
以下、図面を参照しつつ本発明の実施の形態について説明する。
【００１２】
＜１．デジタルカメラの構成＞
図１ないし図３は、本発明の実施形態に係るデジタルカメラ１の要部構成を示す図であり、図１ないし図３はそれぞれ正面図、上面図および背面図に相当する。図１および図２に示すように、デジタルカメラ１は主としてカメラ本体部２と撮影レンズ３とから構成されている。
【００１３】
撮影レンズ３は複数のレンズ群を含むズームレンズとして構成され、その周縁部に設けられるズームリング３１を回転させることにより撮影倍率（焦点距離）を変更することが可能とされている。撮影レンズ３にはマクロ切り替えレバー３２が設けられており、マクロ切り替えレバー３２をスライドさせることによりマクロ撮影が可能となる。また、デジタルカメラ１ではシャッター方式として機械式が採用されており、撮影レンズ３の内部の適位置にはメカニカルシャッター（図示省略）が設けられている。
【００１４】
図１に示すように、カメラ本体部２の前面には、左端部にグリップ部４、右方上部に内蔵フラッシュ５がそれぞれ設けられ、また、図２に示すように、グリップ部４の上面にはシャッターボタン１１が設けられている。シャッターボタン１１は銀塩カメラで採用されているような半押し状態（Ｓ１状態）と全押し状態（Ｓ２状態）とが検出可能な２段階スイッチとなっている。
【００１５】
図２に示すように、カメラ本体部２の上面右方には、電源のオン／オフを切り替えるとともに、「撮影モード」、「再生モード」および「通信モード」の間で動作モードを切り替えるダイヤル式のメインスイッチ１５が設けられている。
【００１６】
撮影モードは、被写体の撮影を行い画像データを取得しメモリカード９に記録する動作モードである。デジタルカメラ１は、標準プログラムを使用した撮像制御を行う通常撮影とともに、被写体の場面に応じて最適な撮像制御を行うシーンセレクタ機能を有しており、「ポートレート」「スポーツ」「夕景」「夜景」「テキスト」から被写体に対応する撮影シーンを選択することが可能である。撮影シーンは、メインスイッチ１５の近傍に配置される撮影シーン選択ボタン１３の押下により順次切り替えて選択される。なお、撮影シーン選択ボタン１３の右方のプログラムセットボタン１４を押下した場合は、シーンセレクタ機能はオフとされ通常撮影が行われる。
【００１７】
再生モードは、メモリカード９に記録された画像データを読み出して再生表示する動作モードである。また、通信モードは、カメラ本体部２背面に設けられるＵＳＢ端子２７を介して外部のコンピュータに画像データを転送するなどの通信を行う動作モードである。
【００１８】
メインスイッチ１５の左方には、デジタルカメラ１の各種の設定情報を表示するデータパネル２１が設けられており、デジタルカメラ１の設定情報を容易に把握することができるようにされている。
【００１９】
また、デジタルカメラ１の側面上方には、取得される画像データの「コントラスト」、「彩度」および「露出」などの調整度合いを設定するファンクションダイヤル１６およびファンクションボタン１６ａが設けられている。ファンクションダイヤル１６によって設定を行う項目にセットした後、ファンクションボタン１６ａを押下しつつ、グリップ部４上部の選択ダイヤル１２を回転させることにより、セットされた項目の調整度合いが変更設定される。なお、プログラムセットボタン１４を押下した場合は、この調整度合いは０とされる。
【００２０】
図３に示すように、カメラ本体部２の背面左方には、被写体の画像データのライブビュー表示、記録された画像データの再生表示および各種設定等を行うための液晶ディスプレイ（ＬＣＤ）２３および電子ビューファインダ（ＥＶＦ）２２が設けられている。ＬＣＤ２３の表示とＥＶＦ２２の表示とは、ＥＶＦ２２の右方のディスプレイ切り替えレバー１７の操作により切り替えを行うことができるようにされている。ディスプレイ切り替えレバー１７の中央部分は情報表示切り替えボタン１７ａとなっており、ＬＣＤ２３またはＥＶＦ２２に画像データが表示されているときに、該画像データの輝度ヒストグラムなどの情報を同時に表示するか否かを切り替え設定することができるようになっている。
【００２１】
また、ＬＣＤ２３の右方にはメニューボタン１８および十字キー１９が設けられている。十字キー１９は上スイッチ１９Ｕ、下スイッチ１９Ｄ、左スイッチ１９Ｌおよび右スイッチ１９Ｒからなる４連スイッチ、ならびに、中央ボタン１９Ｃから構成される。メニューボタン１８を押下するとＬＣＤ２３に設定メニューが表示され、設定メニューを参照しつつ、十字キー１９を操作することによって、デジタルカメラ１の各種設定を行うことができる。
【００２２】
デジタルカメラ１は、撮影モードにおいて記録する画像データのカラー設定、すなわち、カラーあるいはグレースケールのいずれで画像データを記録するかを設定することができる。また、グレースケールで画像データを記録する際には、色レンズフィルタを装着して撮影した際に得られる効果と同様の効果（以下、「色フィルタ効果」という。）を画像処理によってシミュレートする機能を有する。さらに、同一被写体を連続して撮影し、色フィルタ効果を段階的に変化させた三枚のグレースケール画像を取得するフィルタブラケット機能を有する。カラー設定、色フィルタ効果の設定およびフィルタブラケット機能の設定は、メニューボタン１８および十字キー１９の操作により行うことができる。
【００２３】
十字キー１９の下部には、クイックビュー／消去ボタン２０が設けられている。クイックビュー／消去ボタン２０は、撮影モードにおいては直前に撮影した画像データの簡易再生表示を行うクイックビューボタンとして機能し、再生モードにおいては再生している画像データをメモリカード９から消去する消去ボタンとして機能する。
【００２４】
カメラ本体部２の下部には電池室２４が設けられている。電池室２４は、電池室解放レバー２４ａでその蓋が解放され、４本の単三形乾電池が装填される。可搬性のデジタルカメラ１は、電池室２４に装填される単三形乾電池を通常の駆動源としているが、電池室２４の右方に設けられる電源入力端子２５を介して供給される外部からの直流電源を駆動源とすることも可能とされている。
【００２５】
電源入力端子２５の右方には、ビデオ出力端子２６が設けられており、外部のモニタに画像データを転送して表示させることができるようにされている。
【００２６】
カメラ本体部２の内部にはカードスロット２９が設けられ、カメラ本体部２の側面から画像データ等を記録するメモリカード９を挿入して装着できる。また、カードスロット２９の挿入口近傍には、メモリカード９へのアクセス中である旨を表示するためのアクセスランプ２８が配置される。
【００２７】
＜２．デジタルカメラの内部構成＞
図４は、デジタルカメラ１の主たる内部構成を機能ブロックとして示す図である。
【００２８】
レンズ駆動部２１１は、全体制御部３０から入力される信号に基づいて、撮影レンズ３に含まれる合焦を行うためのフォーカス用レンズ、入射光量を調節する絞り、および、メカニカルシャッター等の駆動を行う。
【００２９】
ＣＣＤ２０１は、Ｒ（赤）、Ｇ（緑）、Ｂ（青）のカラーフィルタが貼り付けられた横２５６０×縦１９２０の画素からなる撮像素子であり、撮影レンズ３により結像された被写体の光像をＲＧＢの色成分の画像信号（各画素で受光された画素信号の信号列からなる信号）に光電変換して出力する。ＣＣＤ２０１は、画像信号の出力モードとして、通常の全画素の出力を行うフレームモードと、縦の画素を１／８に間引いて横２５６０×縦２４０の画素を出力するドラフトモードとを有している。撮影待機状態において画像データを出力し、ライブビュー表示（後述）する際には高速化のためドラフトモードに、撮影指示後において記録用の画像データを出力する際にはフレームモードにそれぞれ設定される。
【００３０】
タイミングジェネレータ２１０は、全体制御部３０から入力される信号に基づきＣＣＤ２０１への駆動制御信号を生成するものである。例えば、受光した光量の積分を開始するためのタイミング信号や、画像信号の出力制御信号（ドラフトモードやフレームモードへの出力モードの変更信号を含む）等の信号を生成しＣＣＤ２０１に出力する。
【００３１】
信号処理回路２０２は、ＣＣＤ２０１から出力される画像信号（アナログ信号）に所定のアナログ信号処理を施すものである。信号処理回路２０２は、ＣＤＳ（相関二重サンプリング）回路とＡＧＣ（オートゲインコントロール）回路とをその内部に有し、ＣＤＳ回路により画像信号のノイズの低減を行い、ＡＧＣ回路のゲインを調整することにより画像信号のレベル調整を行う。
【００３２】
Ａ／Ｄ変換器２０３は、信号処理回路２０２から出力された各画素信号（アナログ信号）を例えば１２ビットのデジタル信号に変換する。Ａ／Ｄ変換器２０３から出力された各画素の値（画素値）は、ＲＧＢの色成分からなるカラーの色成分値として表現される。
【００３３】
ＷＢ（ホワイトバランス）補正回路２０４は、白いものが白くなるように、被写体への照明光源の色の影響による色バランスのずれを補正（ホワイトバランス補正）する。ＷＢ補正回路２０４は、撮影ごとに設定される変換テーブルを用いて画素のＲＧＢの色成分値を変換する。通常は、入射光の色バランスの判定結果に基づく変換テーブルが全体制御部３０により入力される。
【００３４】
γ補正回路２０５は、画像データの階調特性を一般的な表示デバイスのγ特性に適合するように補正（γ補正）する。γ補正回路２０５は、撮影ごとに設定されるγ補正テーブル（ＬＵＴ）を用いて各画素値を補正する。ファンクションダイヤル１６等によりコントラストの調整度合いを変更する設定がなされていた場合は、設定された調整度合いに応じたγ補正テーブルが用いられ、コントラストの強調や抑制がなされる。
【００３５】
色補正変換回路２０６は、撮影ごとに設定される変換マトリクスを用いて、彩度を強調するように各画素値を調整（色調整）するとともに、ＲＧＢの色成分からなる各画素値をＹＣｒＣｂ（輝度成分値Ｙと色差成分値Ｃｒ，Ｃｂ）へ色空間変換する。ファンクションダイヤル１６等により彩度の調整度合いを変更する設定がなされていた場合は、設定された調整度合いに応じた変換マトリクスが用いられ、彩度の強調や抑制がなされる。
【００３６】
また、色補正変換回路２０６は、カラー設定がグレースケールに設定されていた場合は、取得された画像データを変換してグレースケール画像を生成する。さらに、色フィルタ効果を施す設定がなされていた場合は、後述する色補正を行って色フィルタ効果を施したグレースケール画像を生成する。
【００３７】
解像度変換回路２０７は、色補正変換回路２０６から出力された画像データを所定の解像度に変換する。撮影待機状態においては、ＡＦ評価値演算回路２０８、測光演算回路２０９等へ画像データを出力するために、ＣＣＤ２０１のドラフトモードで出力された横２５６０×縦２４０の画素からなる画像データを所定の解像度に変換する。
【００３８】
解像度変換回路２０７は、ＡＦ評価値演算回路２０８へ画像データを出力する際は、横２５６０画素のうち中心部の３２０画素のみを切り出し、さらに、縦２４０画素のうち中心部の６０画素を切り出して４倍に補完して、横３２０×縦２４０の画素からなる画像データを生成する。これにより、画像データの中心部領域のみがＡＦ評価値演算回路２０８へ入力される。
【００３９】
また、解像度変換回路２０７は、測光演算回路２０９へ画像データを出力する際は、縦２４０画素はそのままとし、横２５６０画素を１／８に間引くことにより、横３２０×縦２４０の画素からなる画像データを生成する。これにより、画像データ全体の領域を１／８に間引いたものが測光演算回路２０９へ入力される。
【００４０】
ＡＦ評価値演算回路２０８は、解像度変換回路２０７から入力された画像データを用いて、合焦位置の検出を行うためのフォーカスの程度を示すフォーカス評価値を演算する。具体的には、横方向に隣接する画素の輝度成分値Ｙの差分値を絶対値で求め、さらに、求めた差分値の画像データ全体に関しての総和をフォーカス評価値として求める。求めた評価値は、全体制御部３０に入力される。
【００４１】
測光演算回路２０９は、解像度変換回路２０７から入力された画像データを、横２０×縦１５のブロック（横１６画素×縦１６画素のブロック）に分割し、各ブロックごとに画素の輝度成分値Ｙの平均値を測光値として求める。求められた測光値は、露出条件を決定するために全体制御部３０へ入力される。
【００４２】
さらに、測光演算回路２０９は入力された画像データの輝度ヒストグラムを生成する機能も有する。輝度ヒストグラムを生成する際には、入力された画像データの全画素の輝度成分値Ｙを参照して、輝度の値ごとの画素数を累計することにより、輝度と度数（画素数）との関係を示す輝度ヒストグラムを生成する。生成された輝度ヒストグラムは全体制御部３０へ入力される。
【００４３】
画像メモリ２１５は、画像データを記憶するメモリである。画像メモリ２１５は、ＣＣＤ２０１がフレームモードである場合に出力される画像データを少なくとも３フレーム分記憶し得る記憶容量を有している。撮影時においてＣＣＤ２０１で取得された画像データは、メモリカード９に記録される前に一旦画像メモリ２１５に格納される。このため、デジタルカメラ１では比較的高速な連続撮影が可能となっている。また、画像メモリ２１５はＥＶＦ２２およびＬＣＤ２３に表示するための画像データを格納するバッファメモリとしても機能する。
【００４４】
ＥＶＦ／ＬＣＤ切替部２１６は、ディスプレイ切り替えレバー１７の設定に基づいて、画像メモリ２１５に格納された画像データの出力先を切り替える。これにより、ＥＶＦ２２とＬＣＤ２３との表示切り替えが行われる。
【００４５】
デジタルカメラ１の撮影待機状態では、所定時間ごとにＣＣＤ２０１により撮像された画像データがＡ／Ｄ変換器２０３〜解像度変換部２０７により所定の処理を施された後、画像メモリ２１５に格納され、ＥＶＦ／ＬＣＤ切替部２１６を介してＥＶＦ２２やＬＣＤ２３に表示される（ライブビュー表示）。これにより、ユーザはＣＣＤ２０１で撮像される被写体像を視認することができることとなる。
【００４６】
また、ＥＶＦ／ＬＣＤ切替部２１６からは、外部モニタＩ／Ｆ２２１にも画像データが出力される。外部モニタＩ／Ｆ２２１に出力された画像データは、外部モニタＩ／Ｆ２２１において例えばＮＴＳＣ方式の画像信号に変換され、ビデオ出力端子２６を介して外部モニタ６２等に送出される。
【００４７】
圧縮・伸張部２１３は、メモリカード９に記録する画像データのＪＰＥＧ方式などによる所定の圧縮処理と、メモリカード９に圧縮されて記録された画像データの伸張処理を行う。メモリカード９への画像データの記録や読み出しはカードスロット２９内に設けられるカードＩ／Ｆ２１４を介して行われる。
【００４８】
ＵＳＢＩ／Ｆ２１２は、通信モードにおいて外部のコンピュータ６１との通信を行うためのＵＳＢ規格に準拠した通信用インターフェースである。ＵＳＢＩ／Ｆ２１２とコンピュータ６１とのデータ通信はＵＳＢ端子２７を介して行われる。
【００４９】
操作部１０は、上述したシャッターボタン１１、ファンクションダイヤル１６、メニューボタン１８、十字キー１９等の操作部材を含むものである。操作部１０の操作内容は、信号として全体制御部３０に入力される。
【００５０】
全体制御部３０は、マイクロコンピュータで構成され、デジタルカメラ１の上述した各部材の動作を統括的に制御する。全体制御部３０は、各種演算処理を行うＣＰＵ３１と、演算を行うための作業領域となるＲＡＭ３２と、制御プログラム等が記憶されるＲＯＭ３３とを備えている。
【００５１】
全体制御部３０は、様々な機能をソフトウェア的に実現している。すなわち、ＲＯＭ３３に記憶される制御プログラムに従って、ＣＰＵ３１が演算動作を行うことにより各種機能が実現される。なお、記録媒体であるメモリカード（制御プログラムを記憶したもの）９から読み出して、あるいは、ＵＳＢＩ／Ｆ２１２により通信するコンピュータ６１から転送されて、新たな制御プログラムをＲＯＭ３３内に格納（インストール）することも可能とされている。
【００５２】
図４において、露出制御部３１１、ＡＦ制御部３１２、記録制御部３１３、再生制御部３１４、設定受付部３１５、画像処理制御部３１６、シーン制御部３１７およびフィルタブラケット制御部３１８は、ＲＯＭ３３に記憶された制御プログラムに従ってＣＰＵ３１が演算処理することにより実現される機能を機能ブロックとして表したものである。
【００５３】
露出制御部３１１は、撮影待機状態において測光演算回路２０９から入力される測光値に基づいて露出値を決定し、所定のプログラム線図を参照して露出条件を決定する。すなわち、シャッタースピード（撮影レンズ３に含まれるメカニカルシャッターの速度）と、絞り値（撮影レンズ３に含まれる絞りの開口径）とを決定し、決定した露出条件に従ってレンズ駆動部２１１に信号を送信する。なお、ファンクションダイヤル１６等により露出の調整度合いを変更する設定がなされていた場合は、設定された調整度合いに応じて露出値を調整する。
【００５４】
ＡＦ制御部３１２は、ＡＦ評価値演算回路２０３から入力されるフォーカス評価値に基づいて撮影レンズ３に含まれるフォーカス用レンズを駆動させるオートフォーカス制御を行う。具体的には、フォーカス用レンズを駆動させながらフォーカス評価値を監視し、フォーカス評価値が最も高い位置をフォーカス用レンズの合焦位置とする。
【００５５】
記録制御部３１３は、画像メモリ２１５から縦横両方向でそれぞれ所定の画素毎に画素データをＲＡＭ３２に読み出すことでサムネイル画像を作成する。また、画像データの取得時に係る情報をＲＡＭ３２等から取得し、画像データに付随して記録するタグ情報を作成する。さらに、撮影指示後に画像メモリ２１５に一時格納された画像データを圧縮・伸張部２１３に転送して記録用の圧縮した画像データ（高解像度データ）を生成させる。そして、これらの高解像度画像データ、サムネイル画像およびタグ情報をＥｘｉｆ形式に準拠した一つの画像ファイルとしてメモリカード９に記録する。
【００５６】
図５は、メモリカード９への画像ファイルの記録の例を示す図である。メモリカード９の記憶領域の先頭には、インデックス情報を記録する領域が設けられ、その後の領域に各画像ファイルが撮影された順に記録される。メモリカード９における各画像ファイルの記憶領域は３つの領域からなり、先頭領域から順にタグ情報、圧縮された画像データ（高解像度データ）およびサムネイル画像が記録される。図に示すように、タグ情報には、カメラ機種名、撮影日、シャッタースピード、絞り値、フラッシュの発光の有無、および、シーンセレクタの設定の他、カラー設定および色フィルタ効果の設定などの各種情報が記載される。
【００５７】
図４に戻り、再生制御部３１４は、再生モードにおけるデジタルカメラ１の動作を制御する。具体的には、メモリカード９に記録された画像データを読み出して画像メモリ２１５に格納し、ＥＶＦ２２やＬＣＤ２３に表示させるなどの制御を行う。
【００５８】
設定受付部３１５は、操作部１０の操作によって入力された信号を受け付け、信号に応じてデジタルカメラ１の動作の設定情報（例えば、動作モードの設定、シーンセレクタの設定、カラー設定、色フィルタ効果の設定など）を変更する。設定情報は、ＲＡＭ３２に記憶されデータパネル２１に表示されるとともに、各処理部に入力される。これにより、デジタルカメラ１の各処理部の動作が設定情報に従って行われることとなる。
【００５９】
画像処理制御部３１６は、上述したＷＢ補正回路２０４、γ補正回路２０５および色補正変換回路２０６の処理内容を制御する。具体的には撮影ごとに、ＣＣＤ２０１において取得された画像データに対して使用する変換テーブル、γ補正テーブルおよび変換マトリクスを設定し、ＷＢ補正回路２０４、γ補正回路２０５および色補正変換回路２０６にそれぞれ入力する。
【００６０】
また、画像処理制御部３１６は、設定情報に基づいて、色補正変換回路２０６に色フィルタ効果を施したグレースケール画像を生成させるための制御も行う。
【００６１】
なお、画像処理制御部３１６は、ＷＢ補正回路２０４、γ補正回路２０５および色補正変換回路２０６の処理内容をそれぞれ無効化（非能動化）させることもできる。すなわち、取得された画像データに対してホワイトバランス補正を行わないなどの制御も可能である。
【００６２】
シーン制御部３１７は、撮影シーン選択ボタン１３により撮影シーンが選択された場合において、撮影シーンに応じたシーン撮像制御を行う。具体的には、選択された撮影シーンに応じた露出制御を行うように所定の信号を露出制御部３１１に対して送信するとともに、選択された撮影シーンに応じたホワイトバランス補正、γ補正等を行うように所定の信号を画像処理制御部３１６に対して送信する。例えば、選択された撮影シーンが「夕景」であれば夕方の赤みのある雰囲気を残した画像データの取得を目的とし、ホワイトバランス補正を行う範囲を制限するように所定の信号が画像処理制御部３１６に送信される。
【００６３】
フィルタブラケット制御部３１８は、フィルタブラケット機能を有効とする設定がなされた場合のデジタルカメラ１の制御を行う。この制御の詳細については後述する。
【００６４】
＜３．色フィルタ効果およびグレースケール画像の生成＞
次に、色補正変換回路２０６における色フィルタ効果を施したグレースケール画像データの生成について説明する。
【００６５】
まず、一般的な、グレースケール画像データの生成手法について説明する。上述したように、色補正変換回路２０６においては、画像データのＲＧＢの色成分値で表現された各画素値は、輝度成分値Ｙと色差成分値Ｃｒ，Ｃｂへ変換される。このうち輝度成分値Ｙは、次の数１により求められる。
【００６６】
【数１】
0003800102.tif 000002
【００６７】
数１において、ｉ，ｊはそれぞれ画像データにおける画素の位置を示す座標位置であり、Ｒ（ｉ，ｊ），Ｇ（ｉ，ｊ），Ｂ（ｉ，ｊ）はそれぞれ座標位置（ｉ，ｊ）の画素のＲ，Ｇ，Ｂの色成分値を示している。すなわち、座標位置（ｉ，ｊ）の画素の輝度成分値Ｙ（ｉ，ｊ）は、Ｒ，Ｇ，Ｂの色成分値にそれぞれ係数Ｋｒ，Ｋｇ，Ｋｂを乗じたものを加算して求められる。一般に、係数Ｋｒ，Ｋｇ，Ｋｂに代入する値は、人間の目の比視感度を考慮してＧの値の比率が相対的に高くなるように、すなわち、Ｋｇ＞Ｋｒ，Ｋｇ＞Ｋｂとなるように固定的に決定されている。
【００６８】
輝度の階調情報のみを示すグレースケール画像データは、このような輝度成分値Ｙの演算を全ての画素について行い、その一方で全ての画素の色差成分値Ｃｒ，Ｃｂを０とすることで生成される。
【００６９】
次に、デジタルカメラ１の撮影レンズ３に通常の色レンズフィルタを装着してグレースケール画像を生成した場合の作用および効果について説明する。図６および図７は、ＣＣＤ２０１のカラーフィルタの分光透過特性とともに、色レンズフィルタの分光透過特性を示す図である。これらの図において横軸は光の波長を示し、縦軸は光の透過率を示している。また、符号７１ないし７３で示す曲線はＣＣＤ２０１のＲＧＢそれぞれのカラーフィルタの分光透過特性を示している。
【００７０】
図６は、特定の波長より短波長側を急峻に遮断し、長波長側のみを透過する色レンズフィルタ（シャープカットフィルタ）の分光透過特性を示している。図において符号８１で示す曲線は４２０ｎｍ以下の波長を遮断するイエローフィルタ（Ｙ４２）、符号８２で示す曲線は４８０ｎｍ以下の波長を遮断するイエローフィルタ（Ｙ４８）、符号８３で示す曲線は５６０ｎｍ以下の波長を遮断するオレンジフィルタ（Ｏ５６）の分光透過特性をそれぞれ示している。
【００７１】
シャープカットフィルタを装着してグレースケール画像を生成した場合は、入射光の短波長側（青色側）の成分がカットされるため、青空が真っ白になってしまう現象を防止するとともに、コントラストを高めるなどの効果を奏することができる。
【００７２】
一方、図７は、特定の波長成分を吸収する色レンズフィルタ（色調整フィルタ）の分光透過特性を示している。図において、符号８４で示す曲線は入射光の緑色成分となる波長を比較的小さな度合いで吸収するマゼンダフィルタ（Ｍ２０）、符号８５で示す曲線は入射光の緑色成分となる波長を比較的大きな度合いで吸収するマゼンダフィルタ（Ｍ４０）の分光透過特性を示している。
【００７３】
色調整フィルタを装着してグレースケール画像を生成した場合は、特定色の被写体を強調したり、照明光の影響（すなわち、色かぶり）を取り除くなどの効果を奏することができる。
【００７４】
このような色レンズフィルタの作用は、入射光の特定の波長成分を他の波長成分と比較して相対的に抑制することに相当する。このため、上記数１においてＲＧＢの色成分値に乗算する係数Ｋｒ，Ｋｇ，Ｋｂに代入する値を減少させて演算することにより、色レンズフィルタと同様の効果を得ることができるわけである。色補正変換回路２０６は、このような効果をシミュレートするために、係数Ｋｒ，Ｋｇ，Ｋｂに代入する値を変更して画像データの色成分値を補正し、補正した色成分値に基づいてグレースケール画像データを生成する。
【００７５】
デジタルカメラ１では、この係数Ｋｒ，Ｋｇ，Ｋｂに代入するための値が補正データとして予め準備されている。この補正データは複数存在し、図６あるいは図７で示したような種々の色レンズフィルタの効果をシミュレートするためのものがそれぞれ準備されている。これら複数の補正データは、補正データテーブル３３１としてＲＯＭ３３に予め記憶されている（図４参照）。
【００７６】
図８は、補正データテーブル３３１の一例を示す図である。図に示すように、補正データテーブル３３１においては、係数Ｋｒ，Ｋｇ，Ｋｂにそれぞれ代入するための補正データと、その補正データでシミュレートする色レンズフィルタの名称とが関連付けられて記憶されている。補正データに関連付けて記憶される色レンズフィルタの名称は、補正データの名称（種類）として扱われる。
【００７７】
本実施の形態において補正データの名称（すなわち、色レンズフィルタの名称）は、大まかな色の特性を示す記号と分光透過特性を示す数値とから構成される。具体的には、イエローフィルタの場合は「Ｙ」、オレンジフィルタの場合は「Ｏ」、レッドフィルタの場合は「Ｒ」、マゼンダフィルタの場合は「Ｍ」がそれぞれ色の特性を示す記号とされる。
【００７８】
そして、シャープカットフィルタ（イエローフィルタ、オレンジフィルタまたはレッドフィルタ）の場合は、それより短波長側を遮断する特定の波長を示す数値がそれらの記号に付される。例えば、４２０ｎｍ以下の波長を遮断するイエローフィルタには「Ｙ４２」という名称が付され、５６０ｎｍ以下の波長を遮断するオレンジフィルタには「Ｏ５６」という名称が付されることとなる。
【００７９】
一方、色調整フィルタ（マゼンダフィルタ）の場合は、その効果の度合いを示す数値が記号に付される。例えば、比較的小さな効果のあるマゼンダフィルタである場合は「Ｍ２０」という名称が付され、比較的大きな効果のあるマゼンダフィルタである場合は「Ｍ４０」という名称が付されることとなる。
【００８０】
いずれの補正データを使用するかの設定は、メニューボタン１８を押下した際に設定受付部３１５の制御によりＬＣＤ２３に表示される設定メニューにおいて行うことができる。図９ないし図１３は、色フィルタ効果を施したグレースケール画像を取得するための設定における設定メニューの表示の例を示す図である。
【００８１】
設定メニューにおいてカラー設定の項目を指定すると、図９に示すように「カラー」または「グレースケール」のいずれかの項目を選択する画面がＬＣＤ２３に表示される。ユーザは十字キー１９の上下スイッチ１９Ｕ，１９Ｄを操作することによりカーソルＣを所望の項目まで移動させ、中央ボタン１９Ｃを押下することにより項目を確定することができる。なお、この操作方法は以下の説明においても同様である。「グレースケール」の項目が選択された場合は、グレースケール画像を生成する設定となる。
【００８２】
グレースケール画像を生成する設定がなされた場合は、続いて、図１０に示すように、色フィルタ効果に使用する補正データを選択する画面が表示される。この画面には「無し」と表記された項目とともに、補正データテーブル３３１に含まれる補正データの名称の一覧がそれぞれ項目として表示される。「無し」の項目が選択された場合は、色フィルタ効果を施さないグレースケール画像を生成する設定となる。一方、補正データの名称が選択された場合は、選択された名称の補正データを使用して色フィルタ効果を施したグレースケール画像を生成する設定となる。
【００８３】
補正データは、大まかな色の特性を示す記号と分光透過特性を示す数値とから構成される名称により選択できるため、ユーザは容易に所望の一の補正データを選択することができるようになっている。
【００８４】
色フィルタ効果を施す設定がなされた場合は、続いて、図１１に示すように、ホワイトバランス補正を行うか否かを選択する画面が表示される。この画面において、「ＯＮ」を選択した場合は通常通りのホワイトバランス補正を行う設定がなされ、「ＯＦＦ」を選択した場合はホワイトバランス補正を行わない設定がなされる。
【００８５】
続いて、図１２に示すように、ＡＦ設定を行う画面、具体的には、フォーカス評価値を求める際において、色フィルタ効果を考慮するか否かを選択する画面が表示される。この画面において、「考慮しない」を選択した場合は色フィルタ効果が施される以前の画像データに基づいてフォーカス評価値を求める設定がなされ、「考慮する」を選択した場合は色フィルタ効果が施されたグレースケール画像データに基づいてフォーカス評価値を求める設定がなされる。
【００８６】
さらに、図１３に示すように、フィルタブラケット機能を有効とするか否かを選択する画面が表示される。この画面において「ＯＮ」を選択した場合はフィルタブラケット機能を有効とする設定がなされ、「ＯＦＦ」を選択した場合はフィルタブラケット機能を無効とする設定がなされる。
【００８７】
図９ないし図１３に示した画面において、ユーザの操作により確定された項目は、設定受付部３１５によって受け付けられ、設定情報としてＲＡＭ３２に記憶される。そして、この設定情報は画像処理制御部３１６等にも入力される。これにより、色フィルタ効果を施したグレースケール画像を生成する設定がなされた場合は、設定以降において、色補正変換回路２０６に色フィルタ効果を施したグレースケール画像を生成させる制御が画像処理制御部３１６によりなされることとなる。従って、撮影待機状態においても設定情報が反映され、色フィルタ効果を施したグレースケール画像がＥＶＦ２２またはＬＣＤ２３にライブビュー表示として表示される。
【００８８】
ところで、上記のようにして色フィルタ効果を施したグレースケール画像を生成する（当該機能を能動化する）設定がなされた状態において、ファンクションダイヤル１６等により彩度の調整度合いを変更する設定がされた場合においては、色情報を有さないグレースケール画像の彩度を調整するという矛盾した設定状態となる。従って、このような場合は設定状態の矛盾を回避するために、色フィルタ効果を施したグレースケール画像を生成しない（当該機能を非能動化する）設定が設定受付部３１５によってなされる。
【００８９】
同様に、色フィルタ効果を施したグレースケール画像を生成する（当該機能を能動化する）設定がなされた状態において、撮影シーン選択ボタン１３により撮影シーンが選択された場合においては、夕方の赤みのある雰囲気を残すなどの効果はグレースケール画像においては得られない。従って、このような場合においても設定状態の矛盾を回避するために、色フィルタ効果を施したグレースケール画像を生成しない（当該機能を非能動化する）設定が設定受付部３１５によってなされる。
【００９０】
＜４．撮影モード動作＞
次に、色フィルタ効果を施したグレースケール画像を生成する設定がなされた状態におけるデジタルカメラ１の撮影モードにおける動作について説明する。図１４ないし図１６は、このデジタルカメラ１の動作の流れを示す図である。なお、この動作説明においては、色フィルタ効果に使用する補正データとして「Ｙ４８」が設定されているものとする。
【００９１】
デジタルカメラ１は撮影モードに設定されると撮影待機状態となり、ＥＶＦ２２またはＬＣＤ２３においてライブビュー表示を行う。前述したように、このライブビュー表示においても、色フィルタ効果を施したグレースケール画像が表示される。
【００９２】
まず、ＣＣＤ２０１がドラフトモードに設定され（ステップＳＴ１１）、ＣＣＤ２０１で取得された画像データに基づいて色フィルタ効果が施されたグレースケール画像が生成され（ステップＳＴ１２）、生成されたグレースケール画像がライブビュー表示として表示される（ステップＳＴ１３）。そして、シャッタ−ボタン１１が半押し状態となるまで（ステップＳＴ１６にてＮｏの間）、このグレースケール画像の生成（ステップＳＴ１２）およびその表示（ステップＳＴ１３）が繰り返される。
【００９３】
図１７は、グレースケール画像を生成する動作（ステップＳＴ１２）の詳細な流れを示す図である。まず、ＣＣＤ２０１から読み出された画像データは、信号処理回路２０２により所定の信号処理が施され、Ａ／Ｄ変換器２０３によりデジタル信号とされる（ステップＳＴ５１）。
【００９４】
そして、ホワイトバランス補正を行う設定がなされていた場合（ステップＳＴ５２にてＹｅｓ）は、ＷＢ補正回路２０４により画像データに対してホワイトバランス補正がなされる（ステップＳＴ５３）。
【００９５】
一方、ホワイトバランス補正を行わない設定がなされていた場合（ステップＳＴ５２にてＮｏ）は、ＷＢ補正回路２０４の処理内容が画像処理制御部３１６により非能動化され、画像データに対してホワイトバランス補正はなされない。
【００９６】
前者のように、ホワイトバランス補正がなされる場合は、照明光源の色の影響を排除した状態で色フィルタ効果を施すこととなり、照明光源の色の影響を考慮する必要無く色フィルタ効果を施すことができる。
【００９７】
一方、後者のように、ホワイトバランス補正がなされない場合は、照明光源の色の影響の補正が行われないため、ユーザが色フィルタ効果によって任意にその色の補正を行うことができる。すなわち、銀塩カメラにおいて色レンズフィルタを装着した場合のように、照明光源の色の影響を残すなどのユーザの好みに応じた色フィルタ効果を施すことができることとなる。
【００９８】
続いて、画像データはγ補正回路２０５によりγ補正され（ステップＳＴ５４）、その後、選択された補正データ（ここではＹ４８）が係数Ｋｒ，Ｋｇ，Ｋｂに代入された数１の演算が色補正変換回路２０６において画素ごとに行われる。これにより各画素の輝度成分値Ｙが求められ色フィルタ効果が施されたグレースケール画像が生成される（ステップＳＴ５５）。そして、生成されたグレースケール画像は画像メモリ２１５に格納される（ステップＳＴ５６）。
【００９９】
このようなステップＳＴ１２のグレースケール画像を生成する動作は、後述する記録用のグレースケール画像を生成する動作と同様である。従って、記録用の色フィルタ効果を施したグレースケール画像と同様の画像データがライブビュー表示にて表示されるため、撮影指示後に記録されるグレースケール画像の態様をユーザは事前に把握することができる。
【０１００】
ところで、図１４の撮影待機状態において情報表示切り替えボタン１７ａが押下された場合は、押下するごとにグレースケール画像の輝度ヒストグラムを表示する設定と表示しない設定とが切り替えられる。
【０１０１】
輝度ヒストグラムを表示する設定とされた場合（ステップＳＴ１４にてＹｅｓ）は、測光演算回路２０９が解像度変換回路２０７から入力されるグレースケール画像に基づいて輝度ヒストグラムを生成する。そして、図１８に示すように、生成された輝度ヒストグラム９２がライブビュー表示されたグレースケール画像９１に重ね合わされて表示される（ステップＳＴ１５）。このように、グレースケール画像の輝度ヒストグラムが表示されることにより、撮影待機状態においてグレースケール画像の露出評価やコントラスト評価を容易に行うことができる。
【０１０２】
このような撮影待機状態において、シャッタ−ボタン１１が半押し（Ｓ１）された場合（ステップＳＴ１６にてＹｅｓ）は、フォーカス用レンズを合焦位置に駆動するオートフォーカス制御がＡＦ制御部３１２によりなされる。このオートフォーカス制御に先立って、まず、ＡＦ設定が色フィルタ効果を考慮する設定であるか否かが判別される（図１５：ステップＳＴ２１）。
【０１０３】
色フィルタ効果を考慮する設定であった場合（ステップＳＴ２１にてＹｅｓ）は、図１７の動作と同様にして色フィルタ効果を施したグレースケール画像が生成され（ステップＳＴ２２）、生成されたグレースケール画像に基づいてＡＦ評価値演算回路２０８がフォーカス評価値を演算する（ステップＳＴ２３）。
【０１０４】
一方、色フィルタ効果を考慮しない設定であった場合（ステップＳＴ２２にてＮｏ）は、色補正変換回路２０６のグレースケール画像の生成機能が非能動化されることにより、通常のカラー画像データが取得されて（ステップＳＴ２４）、色フィルタ効果が施される以前のカラー画像データに基づいてＡＦ評価値演算回路２０８がフォーカス評価値を演算する（ステップＳＴ２５）。
【０１０５】
一般には、ステップＳＴ２５のように色フィルタ効果を施す以前のカラー画像データに基づいてフォーカス評価値を演算することで精度の高いフォーカス評価値を求めることができる。その一方で、特定色を有する被写体を色フィルタ効果によって強調して撮影する際においては、ステップＳＴ２３のようにグレースケール画像に基づいてフォーカス評価値を演算することによって、その被写体に合わせたフォーカス評価値を求めることができる。
【０１０６】
フォーカス評価値が求められると、求められたフォーカス評価値に基づいてＡＦ制御部３１２によりフォーカス用レンズが合焦位置に駆動される（ステップＳＴ２６）。
【０１０７】
次に、図１７の動作と同様にして色フィルタ効果を施したグレースケール画像が生成され（ステップＳＴ２７）、生成されたグレースケール画像に基づいて測光演算回路２０９により測光値が求められる（ステップＳＴ２８）。そして、求められた測光値に基づいて、シャッタースピードおよび絞り値が露出制御部３１１により決定される（ステップＳＴ２９）。このように、グレースケール画像に基づいて露出条件が決定されることから、撮影指示後において適正露出となるグレースケール画像を得ることができる。
【０１０８】
上記のようにして、オートフォーカス制御がなされ露出条件が決定されると、シャッターボタン１１が全押し（Ｓ２）可能な状態とされる。この状態で一定時間シャッターボタン１１が操作されなかった場合（ステップＳＴ３０にてＮｏ）は、再度、撮影待機状態に戻る（ステップＳＴ１１に戻る）。
【０１０９】
一方、シャッターボタン１１が全押し（Ｓ２）された場合（ステップＳＴ３０にてＹｅｓ）は、記録用の画像データを取得するために、ＣＣＤ２０１がフレームモードに設定された後（図１６：ステップＳＴ３１）、フィルタブラケット機能を有効とする設定であるか、無効とする設定であるかが判定される（ステップＳＴ３２）。
【０１１０】
フィルタブラケット機能が無効であった場合（ステップＳＴ３２にてＮｏ）は、図１７の動作と同様にして（ただし、画素数は全画素）、設定された補正データを使用して色フィルタ効果を施したグレースケール画像が生成され、生成されたグレースケール画像が画像メモリ２１５に格納される（ステップＳＴ３３）。そして、画像メモリ２１５に格納されたグレースケール画像に基づいて、記録制御部３１３により圧縮した高解像度データ、サムネイル画像およびタグ情報が生成されて（ステップＳＴ３４）、グレースケール画像が画像ファイルとしてメモリカード９に記録される（ステップＳＴ３５）。
【０１１１】
このとき、タグ情報の一部として、グレースケール画像を生成する際の色フィルタ効果に使用した補正データの名称（ここではＹ４８）が記載される（図５参照）。これにより、グレースケール画像を生成する際に、どのような補正データによってその色成分値が補正されたかを、事後的に把握することができることとなる。
【０１１２】
一方、フィルタブラケット機能が有効であった場合（ステップＳＴ３２にてＹｅｓ）は、フィルタブラケット制御部３１８により、同一被写体の三枚の画像データを時間的に連続して取得するようにＣＣＤ２０１の動作が制御されるとともに、色フィルタ効果において段階的に相違する補正データを順次使用するように画像処理制御部３１６に所定の信号が送信される。
【０１１３】
すなわち、まず、設定された補正データ（ここではＹ４８）より、効果の程度の一段階弱い補正データ（ここではＹ４２）に、使用する補正データが変更設定される（ステップＳＴ３６）。そして、変更された補正データを使用して、図１７の動作と同様にして色フィルタ効果を施したグレースケール画像が生成され画像メモリ２１５に格納される（ステップＳＴ３７）。
【０１１４】
続いて、最初に設定された補正データ（ここではＹ４８）に、使用する補正データが変更設定され（ステップＳＴ３８）、同様に、色フィルタ効果を施したグレースケール画像が生成され画像メモリ２１５に格納される（ステップＳＴ３９）。
【０１１５】
さらに、設定された補正データ（ここではＹ４８）より効果の程度の一段階強い補正データ（ここではＯ５６）に、使用する補正データが変更設定される（ステップＳＴ４０）。そして、変更された補正データを使用して、色フィルタ効果を施したグレースケール画像が生成され画像メモリ２１５に格納される（ステップＳＴ４１）。
【０１１６】
このように三枚のグレースケール画像データは一旦画像メモリ２１５に格納されることから、三回の画像データの撮影は連写のように行われる。したがって、同一被写体に対しての色フィルタ効果のみが段階的に相違する三枚のグレースケール画像データが得られる。ユーザは一回の操作によって効果の相違する三枚のグレースケール画像が得られるため、事後的にこれらのグレースケール画像を確認して、所望の色フィルタ効果が施されたグレースケール画像を選択することができることとなる。
【０１１７】
画像メモリ２１５に三枚のグレースケール画像が格納されると、それぞれのグレースケール画像データに基づいて、記録制御部３１３により圧縮した高解像度データ、サムネイル画像およびタグ情報が生成される（ステップＳＴ４２）。そして、それぞれのグレースケール画像が画像ファイルとしてメモリカード９に記録される（ステップＳＴ４３）。
【０１１８】
図１９は、メモリカード９に記憶された画像ファイルのファイル名を示す図である。図１９の例に示すように、通常のカラー画像データは「ＰＩＣＴＸＸＸＸ．ＪＰＧ」というファイル名で記録されている。このうち「ＸＸＸＸ」は画像ファイルが取得された順番を示しており、「ＪＰＧ」は拡張子である。
【０１１９】
また、色フィルタ効果が施されたグレースケール画像は「ＦＧｓＸＸＸＸＸ．ＪＰＧ」というファイル名で記録されている。このうち「Ｆ」は色フィルタ効果が施されていることを示し、「Ｇｓ」はグレースケール画像であることを示し、「ＸＸＸＸＸ」は色フィルタ効果が施されたグレースケール画像が取得された順番を示している。
【０１２０】
また、フィルタブラケット機能で撮影されたグレースケール画像は「ＦＢｒＸＸＸＸＺ」というファイル名で記録されている。このうち「ＦＢｒ」はフィルタブラケット機能で撮影されたことを示し、「ＸＸＸＸ」はフィルタブラケット機能を行った順番を示し、「Ｚ」は一回のフィルタブラケット機能の撮影における撮影順（１番目から３番目）を示している。このようにフィルタブラケット機能により取得された画像ファイルはファイル名によって関連付けられて記録されるため、事後的に閲覧する際に容易に比較することができる。
【０１２１】
＜５．再生モード動作＞
次に、記録された画像データを再生する際のデジタルカメラ１の動作について説明する。図２０は、デジタルカメラ１の再生モードにおける動作の流れを示す図である。
【０１２２】
デジタルカメラ１が再生モードに設定されると、再生制御部３１４により、メモリカード９に記録された画像ファイルのうち最先のコマ番号の画像ファイルが読み出されて画像メモリ２１５に格納される（ステップＳＴ６１）。そして、画像ファイルに含まれるサムネイル画像がＥＶＦ２２またはＬＣＤ２３に表示される（ステップＳＴ６２）。
【０１２３】
ユーザは、十字キー１９の左右スイッチ１９Ｌ，１９Ｒを操作することにより再生する画像ファイルのコマ番号を変更することができ、コマ送り指示があった場合（ステップＳＴ６６にてＹｅｓ）は、次のコマ番号の画像ファイルが読み出されて（ステップＳＴ６７）、その画像ファイルのサムネイル画像がＥＶＦ２２またはＬＣＤ２３に表示される（ステップＳＴ６２）。
【０１２４】
このコマ送り指示の無い再生状態（ステップＳＴ６６にてＮｏ）において、情報表示切り替えボタン１７ａが押下された場合は、押下するごとに再生されている画像データのタグ情報および輝度ヒストグラムを表示する設定と表示しない設定とが切り替えられる。
【０１２５】
タグ情報および輝度ヒストグラムを表示する設定がなされた場合（ステップＳＴ６３にてＹｅｓ）は、表示されている画像ファイルのタグ情報が読み出されてサムネイル画像と同時に表示される（ステップＳＴ６４）。さらに、測光演算回路２０９がサムネイル画像に基づいて輝度ヒストグラムを生成し、生成された輝度ヒストグラムが表示される（ステップＳＴ６５）。
【０１２６】
図２１は、タグ情報および輝度ヒストグラムを表示する設定がなされ、かつ、再生されている画像データがグレースケール画像であるときのＬＣＤ２３の表示の例を示している。図に示すように、画面には、グレースケール画像のサムネイル画像９３に関連づけて、タグ情報９４および輝度ヒストグラム９５が表示される。
【０１２７】
タグ情報９４としては、撮影日９４ａ、シャッタースピード９４ｄおよび絞り値９４ｅの他、カラー設定９４ｂおよびグレースケール画像データを生成する際に使用した補正データの名称９４ｃが表示される。このように、補正データの名称９４ｃが表示されることで、グレースケール画像データを生成する際に、どのような補正データによってその色フィルタ効果が施されたかを、容易に確認することができる。
【０１２８】
また、輝度ヒストグラム９５も同時に表示されるため、グレースケール画像の露出評価やコントラスト評価を容易に行うことができることとなる。
【０１２９】
＜６．変形例＞
以上、本発明の実施の形態について説明してきたが、この発明は上記実施の形態に限定されるものではなく様々な変形が可能である。
【０１３０】
例えば、上記実施の形態においては、色フィルタ効果に使用する補正データとしては、シャープカットフィルタおよび色調整フィルタをシミュレートするためのものを例示したが、これに限定されるものではなくその他の色レンズフィルタをシミュレートするための補正データであってもよい。
【０１３１】
また、上記実施の形態のデジタルカメラ１では、色フィルタ効果を施したグレースケール画像の生成を撮影モードにおいて行っていたが、再生モードにおいて行ってもよい。すなわち、被写体の画像データは通常のカラー画像データで記録を行い、記録されたカラー画像データに基づいて、補正データを使用した数１の演算による輝度成分値Ｙを演算することでグレースケール画像データを生成するようにしてもよい。
【０１３２】
また、上記実施の形態では、ＣＰＵがプログラムに従って演算を行うことにより、各種機能が実現されると説明したが、演算処理の全部または一部は専用の電気的回路により実現されてもよい。特に、繰り返し演算を行う箇所をロジック回路にて構築することにより、高速な演算が実現される。
【０１３３】
◎なお、上述した具体的実施形態には以下の構成を有する発明が含まれている。
【０１３４】
（１）  請求項１に記載のデジタルカメラにおいて、
前記撮像手段により取得された画像データのホワイトバランスを補正するホワイトバランス補正手段と、
前記画像生成手段を能動化させるか否かの設定を受け付ける画像生成設定受付手段と、
前記画像生成手段を能動化させると設定された場合に、前記ホワイトバランス補正手段を非能動化させるホワイトバランス制御手段と、
をさらに備えることを特徴とするデジタルカメラ。
【０１３５】
これにより、ホワイトバランスの補正が行われないため、色レンズフィルタと同様の効果の色補正のみをユーザの好みに応じて施すことができる。
【０１３６】
（２）  請求項１に記載のデジタルカメラにおいて、
前記グレースケール画像データの明るさに基づいて、前記撮像手段における露出条件を決定する露出制御手段、
をさらに備えることを特徴とするデジタルカメラ。
【０１３７】
これにより、適正露出となるグレースケール画像データを得ることができる。
【０１３８】
（３）  請求項１に記載のデジタルカメラにおいて、
前記グレースケール画像データの輝度のヒストグラムの表示を行う表示手段、をさらに備えることを特徴とするデジタルカメラ。
【０１３９】
これにより、グレースケール画像の露出評価やコントラスト評価を容易に行うことができる。
【０１４０】
（４）  請求項１に記載のデジタルカメラにおいて、
前記補正データ記憶手段は、前記複数の補正データのそれぞれが対応する色レンズフィルタの分光透過特性を示す数値と関連付けて前記複数の補正データを記憶するものであって、
前記補正データ選択手段は、前記分光透過特性を示す数値の選択を受け付けることにより、前記複数の補正データから一の補正データの選択を受け付け可能であることを特徴とするデジタルカメラ。
【０１４１】
これにより、色成分値を補正するために使用する補正データを、色レンズフィルタの分光透過特性を示す数値から選択できるため、所望の補正データを容易に選択することができる。
【０１４２】
（５）  請求項１に記載のデジタルカメラにおいて、
前記グレースケール画像データと、該グレースケール画像データを生成する際に使用した補正データの種類とを関連付けて記録する画像記録手段、
をさらに備えることを特徴とするデジタルカメラ。
【０１４３】
これにより、グレースケール画像データを生成する際に、どのような補正データによってその色成分値が補正されたかを、事後的に把握することができる。
【０１４４】
（６）  請求項１に記載のデジタルカメラにおいて、
前記グレースケール画像データと、該グレースケール画像データを生成する際に使用した補正データの種類とを関連付けて表示する画像表示手段、
をさらに備えることを特徴とするデジタルカメラ。
【０１４５】
これにより、グレースケール画像データを生成する際に、どのような補正データによってその色成分値が補正されたかを、容易に確認することができる。
【０１４６】
（７）  請求項１に記載のデジタルカメラにおいて、
同一被写体の複数の画像データを時間的に連続して取得するように前記撮像手段を制御する撮像制御手段、
をさらに備え、
前記画像生成手段は、段階的に相違する複数の補正データを順次使用して前記撮像手段によって取得される前記複数の画像データの色成分値をそれぞれ補正し、補正した色成分値それぞれに基づいてグレースケール画像データを生成することを特徴とするデジタルカメラ。
【０１４７】
これにより、同一被写体に対して、段階的に相違する効果の色補正が施された複数のグレースケール画像データが得られるため、適切なグレースケール画像データを選択することができる。
【０１４８】
（８）  請求項１に記載のデジタルカメラにおいて、
前記画像生成手段を能動化させるか否かの設定を受け付ける画像生成設定受付手段と、
前記画像生成手段を能動化させると設定された場合は、撮影待機状態において前記グレースケール画像データを表示する画像表示手段と、
をさらに備えることを特徴とするデジタルカメラ。
【０１４９】
これにより、撮影待機状態においてグレースケール画像データが表示されるため、ユーザの撮影指示後に記録されるグレースケール画像データの態様を事前に把握することができる。
【０１５０】
（９）  請求項１に記載のデジタルカメラにおいて、
前記グレースケール画像データに基づいて、フォーカスの程度を示す評価値を求める評価値演算手段、
をさらに備えることを特徴とするデジタルカメラ。
【０１５１】
これにより、特定色を有する被写体を色補正によって強調して撮影する際に、その被写体に合わせたフォーカスの程度を示す評価値を求めることができる。
【０１５２】
（１０）  請求項１に記載のデジタルカメラにおいて、
前記撮像手段により取得された画像データの色成分値を調整する色調整手段と、
前記画像生成手段を能動化させるか否かの設定を受け付ける画像生成設定受付手段と、
前記色調整手段を能動化させるか否かの設定を受け付ける色調整設定受付手段と、
前記画像生成手段を能動化させる設定がなされた状態において、前記色調整手段を能動化させると設定されたときは、前記画像生成手段を非能動化させる設定制御手段と、
をさらに備えることを特徴とするデジタルカメラ。
【０１５３】
これにより、矛盾した設定を回避することができる。
【０１５４】
（１１）  請求項１に記載のデジタルカメラにおいて、
被写体のシーンに応じた複数のシーン撮像制御から一のシーン撮像制御の選択を受け付け可能なシーン選択手段と、
前記画像生成手段を能動化させるか否かの設定を受け付ける画像生成設定受付手段と、
前記画像生成手段を能動化させる設定がなされた状態において、前記シーン撮像制御が選択されたときは、前記画像生成手段を非能動化させる設定制御手段と、
をさらに備えることを特徴とするデジタルカメラ。
【０１５５】
これにより、矛盾した設定を回避することができる。
【０１５６】
【発明の効果】
以上、説明したように、請求項１から請求項１４の発明によれば、色レンズフィルタ効果が施された階調のあるモノクロ画像データを容易に得ることができる。
【０１５７】
特に、請求項２の発明によれば、照明光源の色の影響を考慮する必要無く、色レンズフィルタと同様の効果の色補正を施すことができる。
【０１５８】
また特に、請求項３の発明によれば、色補正を行う前の画像データに基づいてフォーカスの程度を示す評価値を求めるため、精度の高い評価値を求めることができる。
【図面の簡単な説明】
【図１】本発明の実施形態に係るデジタルカメラ１の正面図である。
【図２】デジタルカメラ１の上面図である。
【図３】デジタルカメラ１の背面図である。
【図４】デジタルカメラ１の主たる内部構成を機能ブロックとして示す図である。
【図５】メモリカードへの画像ファイルの記録の例を示す図である。
【図６】シャープカットフィルタの分光透過特性を示す図である。
【図７】色調整フィルタの分光透過特性を示す図である。
【図８】補正データテーブルの一例を示す図である。
【図９】カラー設定を行う画面の例を示す図である。
【図１０】補正データを選択する画面の例を示す図である。
【図１１】ホワイトバランス補正を行うか否かを選択する画面の例を示す図である。
【図１２】ＡＦ設定を行う画面の例を示す図である。
【図１３】フィルタブラケット機能を有効とするか否かを選択する画面の例を示す図である。
【図１４】デジタルカメラ１の撮影モードにおける動作の流れを示す図である。
【図１５】デジタルカメラ１の撮影モードにおける動作の流れを示す図である。
【図１６】デジタルカメラ１の撮影モードにおける動作の流れを示す図である。
【図１７】グレースケール画像を生成する動作の流れを示す図である。
【図１８】輝度ヒストグラムが表示されたライブビュー表示の例を示す図である。
【図１９】メモリカード９に記憶された画像ファイルのファイル名を示す図である。
【図２０】デジタルカメラ１の再生モードにおける動作の流れを示す図である。
【図２１】タグ情報および輝度ヒストグラムが表示された再生表示の例を示す図である。
【符号の説明】
１      デジタルカメラ
２      カメラ本体部
３      撮影レンズ
９      メモリカード
２２      ＥＶＦ
２３      ＬＣＤ
２０６      色補正変換回路
３１６      画像処理制御部
【図１】
0003800102.tif 000003
【図２】
0003800102.tif 000004
【図３】
0003800102.tif 000005
【図４】
0003800102.tif 000006
【図５】
0003800102.tif 000007
【図６】
0003800102.tif 000008
【図７】
0003800102.tif 000009
【図８】
0003800102.tif 000010
【図９】
0003800102.tif 000011
【図１０】
0003800102.tif 000012
【図１１】
0003800102.tif 000013
【図１２】
0003800102.tif 000014
【図１３】
0003800102.tif 000015
【図１４】
0003800102.tif 000016
【図１５】
0003800102.tif 000017
【図１６】
0003800102.tif 000018
【図１７】
0003800102.tif 000019
【図１８】
0003800102.tif 000020
【図１９】
0003800102.tif 000021
【図２０】
0003800102.tif 000022
【図２１】
0003800102.tif 000023